(57)【要約】【課題】本発明の目的は、簡易な構成で、コイルスプリングの付勢力が低減してしまうことを防止すると共に、モータ回転中における振動や異音の発生を防止することが可能なブラシを提供することにある。【解決手段】本発明は、直流型の回転電機に用いられ、コイルスプリング５０によって整流子９３側へ付勢されるブラシ４０に関する。本発明のブラシ４０は、整流子９３と反対側の部分にコイルスプリング５０と当接する傾斜面４２を有して形成されている。この傾斜面４２には、整流子９３と反対側へ突出すると共に、コイルスプリング５０の形状を矯正するコイルスプリング矯正部４３が形成されている。【選択図】　図２
2004135387.tif 000002
【特許請求の範囲】
【請求項１】
付勢部材によって整流子側へ付勢されるブラシであって、
該ブラシは、前記整流子と反対側の部分に前記付勢部材と当接する傾斜面を有して形成され、
該傾斜面には、前記整流子と反対側へ突出すると共に、前記付勢部材と当接する付勢部材当接部が形成されたことを特徴とするブラシ。
【請求項２】
前記付勢部材当接部は、前記付勢部材を構成するコイルスプリングに形成された複数のコイル部のうち、前記ブラシ側から少なくとも２巻き目までのコイル部と当接可能に形成されたことを特徴とする請求項１に記載のブラシ。
【請求項３】
前記付勢部材当接部は、前記コイルスプリングの内周部のうち、前記ブラシの傾斜面長軸部側に位置する部分と当接可能に形成されたことを特徴とする請求項２に記載のブラシ。
【請求項４】
前記付勢部材当接部の前記コイルスプリングの内周部と当接する部分は、前記内周部に沿って円弧状に形成されたことを特徴とする請求項３に記載のブラシ。
【請求項５】
請求項１乃至請求項４のいずれか一項に記載のブラシを用いたことを特徴とするブラシ保持装置。
【請求項６】
請求項５に記載のブラシ保持装置を用いたことを特徴とする回転電機。
【発明の詳細な説明】
【０００１】
【発明の属する技術分野】
本発明は、ブラシおよびブラシ保持装置並びに回転電機に係り、特に、コイルスプリングによって整流子側へ付勢されるブラシおよび該ブラシを用いたブラシ保持装置並びに回転電機に関する。
【０００２】
【従来の技術】
一般に、直流型の回転電機には、整流子に摺接するブラシと、このブラシを整流子側へ付勢するコイルスプリングと、ブラシおよびコイルスプリングを収容するブラシボックスとが配設されたブラシ保持装置が用いられている。
【０００３】
そして、上記回転電機は、ブラシ間に流れる電流が整流子によって整流されることにより巻線に所定の電流が流れ、これにより、巻線に磁界が生じる構成となっている。また、この巻線に生じた磁界に対して磁石の吸引・反発力が働くことにより、アーマチャが回転する構成となっている。
【０００４】
ところが、上記回転電機に用いられたブラシ保持装置では、アーマチャの回転中に、ブラシが整流子との摺接により振動し、これによって異音が発生するという不具合があった。
【０００５】
そこで、このような不具合に対処するために、図１１に示すようなブラシ保持装置３１０が提案されている。すなわち、このブラシ保持装置３１０は、ブラシボックス３３０の内部にブラシ３４０およびコイルスプリング３５０を有して構成されており、コイルスプリング３５０によってブラシ３４０が整流子３９３側へ付勢されている。
【０００６】
また、ブラシ３４０のコイルスプリング当接部には、傾斜面３４２が形成されており、これにより、ブラシ３４０がブラシボックス３３０の内部側面に押えつけられ、ブラシ３４０の振動が抑制されるようになっている。
【０００７】
また、図１１に示すブラシ保持装置３１０の他にも、このブラシ保持装置と同様にブラシのコイルスプリング当接部を傾斜面で形成したものが複数提案されている（例えば、特許文献１、特許文献２参照）。
【０００８】
【特許文献１】
特開平５−２１１７４８号（第４頁、図１、図３）
【特許文献２】
実願平４−６５７５２号（実開平６−２４３７８号）の明細書及び図面（第７−８頁、図２、図４）
【０００９】
【発明が解決しようとする課題】
【００１０】
しかしながら、図１１に示すようなブラシ保持装置においては、ブラシ３４０のコイルスプリング当接部に傾斜面３４２が形成されたことにより、コイルスプリング３５０が曲がってしまうことがあった。
【００１１】
すなわち、ブラシ３４０のコイルスプリング当接部に傾斜面３４２が形成されると、コイルスプリング３５０においては、ブラシ３４０の傾斜面長軸部３４２ａ側の部分よりも、この傾斜面長軸部３４２ａとは反対側の傾斜面短軸部３４２ｂ側の部分の方が、スプリング圧縮量が小さくなる。
【００１２】
このため、コイルスプリング３５０の傾斜面短軸部３４２ｂ側の部分におけるブラシ３４０への加圧力は、コイルスプリング３５０の傾斜面長軸部３４２ａ側の部分におけるブラシ３４０への加圧力よりも弱くなる。
【００１３】
従って、コイルスプリング３５０を構成する各コイル３５１部は、ブラシ３４０への加圧力の強い方から弱い方へ移動してしまい、これにより、コイルスプリング３５０が曲がった状態となる。
【００１４】
そして、上述のように、コイルスプリング３５０が曲がってしまった状態では、コイルスプリング３５０のブラシ３４０への付勢力に損失が生じてしまうため、ブラシ３４０への付勢力が十分に得られなくなり、結果として、ブラシ３４０の整流子３９３への押圧力が不十分になるという不具合があった。
【００１５】
一方、コイルスプリング３５０において、ブラシ３４０をブラシボックス３３０の内部側面に押えつける分力が不十分な場合には、ブラシ３４０のコイルスプリング当接部に形成された傾斜面３４２の傾斜角度をより大きくする必要がある。
【００１６】
ところが、このようにした場合には、コイルスプリング３５０のブラシ３４０への付勢力の損失が大きくなると共に、ブラシ３４０の有効長さが短くなってしまうという不具合がある。
【００１７】
本発明は、上記不具合に鑑みてなされたものであって、その目的は、簡易な構成で、付勢部材の付勢力が低減してしまうことを防止すると共に、モータ回転中における振動や異音の発生を防止することが可能なブラシを提供することにある。
【００１８】
また、本発明の他の目的は、ブラシの整流子への押圧力を十分に確保することが可能なブラシ保持装置を提供することにある。
【００１９】
さらに、本発明の他の目的は、ブラシノイズを低減させることが可能になると共に、電機子の回転特性を向上させることが可能な回転電機を提供することにある。
【００２０】
【課題を解決するための手段】
前記課題は、請求項１に記載のブラシによれば、付勢部材によって整流子側へ付勢されるブラシであって、該ブラシは、前記整流子と反対側の部分に前記付勢部材と当接する傾斜面を有して形成され、該傾斜面には、前記整流子と反対側へ突出すると共に、前記付勢部材と当接する付勢部材当接部が形成されたこと、により解決される。
【００２１】
このように、ブラシの付勢部材と当接する傾斜面に、整流子と反対側へ突出すると共に付勢部材と当接する付勢部材当接部が形成されていると、付勢部材の形状を矯正することが可能となるので、ブラシの付勢部材と当接する当接面が傾斜して形成されていても、付勢部材が曲がってしまうことを防止することが可能となり、付勢部材の付勢力が低減してしまうことを防止することが可能となる。
【００２２】
また、上述のように、ブラシの付勢部材と当接する当接面が傾斜して形成されているので、付勢部材のブラシへの付勢力に分力が働き、ブラシをブラシボックスの内部側面に押えつけることが可能となる。これにより、ブラシの振動を抑制することが可能となるので、モータ回転中における振動や異音の発生を防止することが可能となる。
【００２３】
さらに、ブラシに形成された傾斜面に、整流子と反対側へ突出する付勢部材当接部を設けるという非常に簡易な構成で、付勢部材が曲がってしまうことを防止し、付勢部材の付勢力が低減してしまうことを防止することができるという技術的な効果を得ることが可能である。
【００２４】
このとき、請求項２に記載のブラシのように、請求項１に記載のブラシにおいて、付勢部材当接部が、付勢部材を構成するコイルスプリングに形成された複数のコイル部のうち、ブラシ側から少なくとも２巻き目までのコイル部と当接可能に形成されていると、これらのコイル部が同軸状に整列されるので、付勢部材が曲がってしまうことを確実に防止することが可能となり好適である。
【００２５】
また、請求項３に記載のブラシのように、請求項１に記載のブラシにおいて、付勢部材当接部が、コイルスプリングの内周部のうち、ブラシの傾斜面長軸部側に位置する部分と当接可能に形成されていると、傾斜面によってコイルスプリングに分力が働いても、コイルスプリングと傾斜面との当接位置がずれてしまうことを防止することが可能となるので、これにより、コイルスプリングが曲がってしまうことを確実に防止することが可能となり好適である。
【００２６】
また、請求項４に記載のブラシのように、請求項１に記載のブラシにおいて、付勢部材当接部のコイルスプリングの内周部と当接する部分が、内周部に沿って円弧状に形成されていると、付勢部材当接部のコイルスプリングの内周部との周方向における接触面積を広く取ることが可能となるので、これにより、コイルスプリングの径方向の変形が抑制され、コイルスプリングが曲がってしまうことを確実に防止することが可能となり好適である。
【００２７】
また、請求項５に記載のブラシ保持装置は、請求項１乃至請求項４のいずれか一項に記載のブラシを用いているので、付勢部材当接部によって付勢部材の形状を矯正することができる。これにより、ブラシの付勢部材と当接する当接面が傾斜して形成されていても、付勢部材が曲がってしまうことを防止することが可能となるので、付勢部材のブラシへの付勢力が低減してしまうことを防止することが可能となり、ブラシの整流子への押圧力を十分に確保することが可能となる。
【００２８】
また、請求項６に記載の回転電機は、請求項５に記載のブラシ保持装置を用いているので、付勢部材の付勢力が低減してしまうことを防止することが可能となり、ブラシの整流子への押圧力を十分に確保することが可能となる。これにより、ブラシノイズを低減させることが可能になると共に、電機子の回転特性を向上させることが可能となる。
【００２９】
【発明の実施の形態】
以下、本発明の一実施形態について、図を参照して説明する。なお、以下に説明する部材、配置等は、本発明を限定するものではなく、本発明の趣旨に沿って各種改変することができることは勿論である。
【００３０】
図１乃至図７は本発明の一実施形態を示す図で、図１はブラシ保持装置およびフロントフレームの構成を示す上面図、図２はブラシ保持装置におけるブラシ周辺部の構成を示す要部説明図、図３は図２のＡ−Ａ線断面図、図４はブラシの構成を示す上面図、図５は図４のＢ−Ｂから見た矢視図、図６はブラシの傾斜面にコイルスプリングが当接した様子を示す説明図、図７は回転電機の構成を示す側面断面図である。
【００３１】
図１に示す本発明の一実施形態に係るブラシ保持装置１０は、直流型の回転電機に用いられるものであり、プレート部材２０と、ブラシボックス３０と、ブラシ４０と、付勢部材としてのコイルスプリング５０とを有して構成されている。
【００３２】
プレート部材２０は、板状体で形成され、後述する回転電機１００に配設されたフロントフレーム７０に固定されるものである。プレート部材２０の中央部には、後述する整流子９３が挿入される貫通孔２１が形成されており、この貫通孔２１を挟んだ両側の部分には、一対のブラシボックス３０が対抗配置されている。
【００３３】
ブラシボックス３０は、プレート部材２０と一体に成形加工されることにより形成されており、図２，図３に示すように、断面四角形状からなる中空部３１が整流子９３の半径方向外側へ向けて形成されてなる中空体で構成されている。
【００３４】
ブラシボックス３０の中空部３１には、整流子９３側から順に、ブラシ４０と、コイルスプリング５０が収容されており、図２に示すように、ブラシボックス３０の整流子９３と反対側の開口部３２には、ストッパ部材３３が装着されている。
【００３５】
ブラシボックス３０の上面には、ブラシ４０の摺動方向に沿ってスリット３４が形成されており、このスリット３４内を後述するピッグテール４１が移動可能になっている。
【００３６】
ブラシ４０は、図４に示すような略矩形形状からなる電極部材で形成され、図２に示すブラシボックス３０の中空部３１内に移動可能に収容されている。ブラシ４０の上面には、後述するコネクタ部材７３に配線接続されたピッグテール４１が配設されており、このピッグテール４１を介して図示しない外部電源供給装置からブラシ４０へ電流が流れるようになっている。
【００３７】
ブラシ４０の整流子９３と反対側の部分には、整流子９３のＲ方向への回転によってブラシ４０が力を受ける方向（図中矢印で示すＸ方向）に向かうに従って、整流子９３の半径方向外側へ向かう傾斜面４２が形成されている。
【００３８】
この傾斜面４２は、コイルスプリング５０のブラシ４０への付勢力に分力を発生させ、ブラシ４０がブラシボックス３０の内部側面に押えつけられるようにするためのものである。このように、ブラシ４０がブラシボックス３０の内部側面に押えつけられることにより、ブラシ４０の振動を抑制させることが可能となっている。
【００３９】
図４，図５に示すように、傾斜面４２の傾斜面長軸部（傾斜面４２から整流子側へ向けて延びる側面４２ａ，４２ｂのうち、長手方向の長さが長い側面４２ａのことを傾斜面長軸部という）４２ａ側の部分には、整流子９３と反対側へ突出する突起状のコイルスプリング矯正部４３が形成されている。
【００４０】
このコイルスプリング矯正部４３は、ワイヤを螺旋状に形成した弾性体で構成されたコイルスプリング５０の形状を矯正するためのものであり、本発明の付勢部材当接部に相当するものである。
【００４１】
コイルスプリング矯正部４３の傾斜面長軸部４２ａ側の部分には、コイルスプリング５０の内周部に沿って円弧状に形成された円弧部４３ａが形成されている。
【００４２】
この円弧部４３ａは、傾斜面４２から整流子９３と反対側へコイルスプリング５０の付勢方向に沿って延びるように形成されており、その傾斜面４２からの突出長さは、図６に示すように、コイルスプリング５０のブラシ側から２巻き目までのコイル部５１，５２（符号５１が１巻き目のコイル部であり、符号５２が２巻き目のコイル部である）と当接することができるように最適設定されている。
【００４３】
なお、円弧部４３ａは、上記構成により、コイルスプリング５０の形状を実際に矯正する役目を果たす部分となるものである。
【００４４】
そして、コイルスプリング５０の後端部は、図２に示すように、ストッパ部材３３に保持され、コイルスプリング５０の先端部は、ブラシ４０の傾斜面４２に当接されている。そして、コイルスプリング５０の弾性力によってブラシ４０が整流子９３側へ付勢されている。
【００４５】
このとき、図６に示すように、コイルスプリング５０に形成されたコイル部５１，５２の内周部のうち、ブラシ４０の傾斜面長軸部４２ａ側の部分は、それぞれコイルスプリング矯正部４３に形成された円弧部４３ａに当接されている。
【００４６】
このように、コイル部５１，５２の内周部のうち、傾斜面長軸部４２ａ側の部分が円弧部４３ａに当接されることにより、コイル部５１とコイル部５２とが同軸線上に整列され、コイルスプリング５０が真っ直ぐになるように矯正されている。
【００４７】
そして、上記のように、コイルスプリング５０が矯正されると、ブラシ４０のコイルスプリング５０と当接する当接面が傾斜して形成されていても、コイルスプリング５０が曲がってしまうことを防止することが可能となるので、ブラシ４０の整流子９３への押圧力を十分に確保することが可能となる。
【００４８】
また、コイルスプリング矯正部４３のコイルスプリング５０の内周部と当接する部分が、内周部に沿って円弧状に形成されているので、コイルスプリング矯正部４３のコイルスプリング５０の内周部との周方向における接触面積を広く取ることができる。これにより、コイルスプリング５０の径方向の変形が抑制され、コイルスプリング５０が曲がってしまうことを防止することが可能となる。
【００４９】
さらに、ブラシ４０のコイルスプリング５０との当接部に傾斜面４２が設けられているため、コイルスプリング５０のブラシ４０への付勢力に分力が働き、ブラシ４０がブラシボックス３０の内部側面に押えつけられている。
【００５０】
従って、後述する電機子９０の回転によって整流子９３とブラシ４０が摺接しても、ブラシ４０の振動が抑制され、異音の発生を防止することが可能である。
【００５１】
次に、本実施形態に係るブラシ保持装置を回転電機に適用した例について説明する。図７の符号１００は、本実施形態に係るブラシ保持装置１０を用いた回転電機である。この回転電機１００は、ヨークハウジング６０と、フロントフレーム７０と、エンドフレーム８０と、電機子９０とを有して構成されている。
【００５２】
ヨークハウジング６０は、円筒状の中空体で形成されており、電機子９０等を収容するものである。ヨークハウジング６０の内周面には、断面略扇形状からなる磁石で形成された固定子６１が周設されている。
【００５３】
ヨークハウジング６０の開口部６０ａには、フロントフレーム７０が一体に組み付けられており、ヨークハウジング６０の開口部６０ｂには、エンドフレーム８０が一体に組み付けられている。
【００５４】
フロントフレーム７０は、蓋状体で構成されており、ヨークハウジング６０の開口部６０ａを塞ぐと共に、上述のブラシ保持装置１０を保持するためのものである。
【００５５】
フロントフレーム７０の中央部分には、回転電機１００の軸方向内側へ開口する凹状の軸受収容部７１が形成されており、この軸受収容部７１には、軸受７２が収容されている。
【００５６】
フロントフレーム７０の半径方向外側部分には、図示しない外部電源供給装置と接続可能なコネクタ部材７３が配設されており、このコネクタ部材７３は、上述のピッグテール４１（図２参照）に配線接続されている。
【００５７】
エンドフレーム８０は、ほぼ円形状の蓋状体で構成されており、ヨークハウジング６０の開口部６０ｂを塞ぐためのものである。エンドフレーム８０の中央部分には、回転電機１００の軸方向内側へ開口する凹状の軸受収容部８１が形成されており、この軸受収容部８１には、軸受８２が収容されている。
【００５８】
電機子９０は、回転電機１００の軸方向に沿って形成された棒状体からなる回転軸９１を有して構成されている。回転軸９１の中央部分には、コア鉄心９２が固設され、回転軸９１のブラシ保持装置１０側の部分には、整流子９３が配設されている。
【００５９】
コア鉄心９２には、巻線９４が巻回されており、この巻線９４の端部は、整流子９３と電気的に接続されている。整流子９３は、ブラシ保持装置１０に保持されたブラシ４０と摺接可能に形成され、ブラシ４０から供給された電流を巻線９４に整流することができるように構成されている。
【００６０】
そして、回転電機１００では、回転軸９１の両端が軸受７２，８２にそれぞれ軸支されることによって、電機子９０全体が回転自在になっている。
【００６１】
また、図示しない外部電源供給装置からコネクタ部材７３を介してブラシ４０に所定の電圧が印加されることにより、ブラシ４０間に電流が流れて巻線９４に磁界が生じ、この磁界に対して固定子６１の吸引・反発力が作用することにより、電機子９０が回転駆動するようになっている。
【００６２】
ここで、本実施形態の回転電機１００は、上記ブラシ４０が配設されたブラシ保持装置１０を用いて構成されているので、コイルスプリング５０の付勢力が低減してしまうことを防止することができ、ブラシ４０の整流子９３への押圧力を十分に確保することが可能である。
【００６３】
これにより、ブラシノイズを低減させることが可能になると共に、電機子９０の回転特性を向上させることが可能である。
【００６４】
上記したように、本実施形態によれば、以下の効果を奏する。
（イ）図２乃至図５に示すように、本実施形態に係るブラシ保持装置１０において、ブラシ４０は、整流子９３と反対側の部分にコイルスプリング５０と当接する傾斜面４２を有して形成され、この傾斜面４２には、整流子９３と反対側へ突出すると共に、コイルスプリング５０と当接するコイルスプリング矯正部４３が形成されている。
【００６５】
これにより、コイルスプリング５０の形状を矯正することが可能となるので、ブラシ４０のコイルスプリング５０と当接する当接面が傾斜して形成されていても、コイルスプリング５０が曲がってしまうことを防止することが可能となり、コイルスプリング５０の付勢力が低減してしまうことを防止することが可能となる。
【００６６】
（ロ）また、上述のように、ブラシ４０のコイルスプリング５０と当接する当接面が傾斜して形成されているので、コイルスプリング５０のブラシ４０への付勢力に分力が働き、ブラシ４０をブラシボックス３０の内部側面に押えつけることが可能となる。これにより、ブラシ４０の振動を抑制することが可能となるので、モータ回転中における振動や異音の発生を防止することが可能となる。
【００６７】
（ハ）また、ブラシ４０に形成された傾斜面４２に、整流子９３と反対側へ突出するコイルスプリング矯正部４３を設けるという非常に簡易な構成で、コイルスプリング５０が曲がってしまうことを防止し、コイルスプリング５０の付勢力が低減してしまうことを防止することができるという技術的な効果を得ることが可能である。
【００６８】
（ニ）また、コイルスプリング矯正部４３が、コイルスプリング５０に形成された複数のコイル部のうち、ブラシ４０側から少なくとも２巻き目までのコイル部５１，５２と当接可能に形成されているので、これらのコイル部５１，５２を同軸線上に整列させることができ、これにより、コイルスプリング５０が曲がってしまうことを確実に防止することが可能となる。
【００６９】
（ホ）また、コイルスプリング矯正部４３が、コイルスプリング５０の内周部のうち、ブラシ４０の傾斜面長軸部４２ａ側に位置する部分と当接可能に形成されているので、傾斜面４２によってコイルスプリング５０に分力が働いても、コイルスプリング５０と傾斜面４２との当接位置がずれてしまうことを防止することが可能となり、コイルスプリング５０が曲がってしまうことを確実に防止することが可能となる。
【００７０】
（ヘ）さらに、コイルスプリング矯正部４３のコイルスプリング５０の内周部と当接する部分が、内周部に沿って円弧状に形成されているので、コイルスプリング矯正部４３のコイルスプリング５０の内周部との周方向における接触面積を広く取ることが可能となる。これにより、コイルスプリング５０の径方向の変形が抑制され、コイルスプリング５０が曲がってしまうことを確実に防止することが可能となる。
【００７１】
（ト）そして、本実施形態のブラシ保持装置１０は、上記ブラシ４０を用いているので、コイルスプリング矯正部４３によってコイルスプリング５０の形状を矯正することができる。これにより、ブラシ４０のコイルスプリング５０と当接する当接面が傾斜して形成されていても、コイルスプリング５０が曲がってしまうことを防止することができるので、コイルスプリング５０のブラシ４０への付勢力が低減してしまうことを防止することが可能となり、ブラシ４０の整流子９３への押圧力を十分に確保することが可能となる。
【００７２】
また、ブラシ４０のコイルスプリング５０との当接面が傾斜面４２で形成されているため、コイルスプリング５０のブラシ４０への付勢力に分力が働き、ブラシ４０がブラシボックス３０の内部側面に押えつけられている。
【００７３】
従って、電機子９０の回転によって整流子９３とブラシ４０が摺接しても、ブラシ４０の振動が抑制され、異音の発生を防止することが可能である。
【００７４】
（チ）また、本実施形態の回転電機１００は、上記ブラシ４０が配設されたブラシ保持装置１０を用いて構成されているので、コイルスプリング５０の付勢力が低減してしまうことを防止することができ、ブラシ４０の整流子９３への押圧力を十分に確保することが可能である。
【００７５】
これにより、ブラシノイズを低減させることが可能になると共に、電機子９０の回転特性を向上させることが可能である。
【００７６】
なお、本発明の実施の形態は、以下のように改変することができる。図８乃至図１０は、本実施形態の改変例を示す図であり、図８はブラシの第１改変例を示す要部説明図、図９は図８のＣ−Ｃから見た矢視図、図１０はブラシの第２改変例を示す要部説明図である。以下に、本実施形態に係る改変例について示す。
【００７７】
（ａ）本実施形態のブラシ４０では、傾斜面４２の傾斜面長軸部４２ａ側の部分に突起状のコイルスプリング矯正部４３が形成されていたが、本発明はこれに限定されるものではない。
【００７８】
例えば、図８，図９に示す本実施形態の第１改変例に係るブラシ１４０のように、コイルスプリング矯正部１４３は、傾斜面１４２の傾斜面短軸部（傾斜面１４２から整流子側へ向けて延びる側面１４２ａ，１４２ｂのうち、長手方向の長さが短い側面１４２ｂのことを傾斜面短軸部という）１４２ｂ側の部分に設けられていても良い。
【００７９】
また、コイルスプリング矯正部１４３は、突起状に形成されてコイルスプリング１５０の内周部に当接されるものに限らず、コイルスプリング１５０の外周部に沿って円弧状に形成され、コイルスプリング１５０の外周部のうち、傾斜面短軸部１４２ｂ側に位置する部分と当接可能に形成されていても良い。
【００８０】
このように形成されていても、コイルスプリング１５０が曲がってしまうことを防止することが可能となり、コイルスプリング１５０の付勢力が低減してしまうことを防止することが可能となる。
【００８１】
また、傾斜面１４２によってコイルスプリング１５０に分力が働いても、コイルスプリング１５０と傾斜面１４２との当接位置がずれてしまうことを防止することが可能となるので、コイルスプリング１５０が曲がってしまうことを確実に防止することが可能となる。
【００８２】
（ｂ）本実施形態のブラシ４０では、コイルスプリング矯正部４３が傾斜面４２と一体に形成されていたが、本発明はこれに限定されるものではない。
【００８３】
例えば、図１０に示す本実施形態の第２改変例に係るブラシ２４０のように、傾斜面２４２に孔部２４２ａを設け、この孔部２４２ａに丸棒体からなるコイルスプリング矯正部２４３を挿入固定して構成されていても良い。
【００８４】
このように構成されていても、コイルスプリング２５０が曲がってしまうことを防止することが可能となり、コイルスプリング２５０の付勢力が低減してしまうことを防止することが可能となる。
【００８５】
（ｃ）本実施形態のブラシ４０では、コイルスプリング矯正部４３がコイルスプリング５０の１巻き目のコイル部５１と２巻き目のコイル部５２と当接することができるように形成されていたが、本発明はこれに限定されるものではない。
【００８６】
コイルスプリング矯正部４３は、コイルスプリング５０に形成された複数のコイル部のうち、ブラシ４０側から少なくとも２巻き目までのコイル部と当接可能に形成されていれば良く、例えば、コイルスプリング５０に形成された全てのコイル部と当接可能に形成されていても良い。
【００８７】
このように形成されると、コイルスプリング５０を、その付勢方向に沿ってほぼ真っ直ぐにすることが可能となるので、これにより、コイルスプリング５０の付勢力の低減防止効果をより顕著なものとすることが可能となる。
【００８８】
（ｄ）本実施形態のブラシ４０では、コイルスプリング矯正部４３が円弧状に形成され、コイルスプリング５０の内周部の一部と当接可能に構成されていたが、本発明はこれに限定されるものではない。
【００８９】
コイルスプリング矯正部４３は、その内径がコイルスプリング５０の内径と所定のクリアランスを保って形成された円柱体で構成されると共に、コイルスプリング５０の内周部の全周に渡って当接可能に構成されていても良い。
【００９０】
このように構成されていても、コイルスプリング５０が曲がってしまうことを防止することが可能となり、コイルスプリング５０の付勢力が低減してしまうことを防止することが可能となる。
【００９１】
次に、上記各実施の形態から把握できる請求項以外の技術的思想について、以下にその効果と共に記載する。
【００９２】
（１）前記コイルスプリング矯正部は、前記コイルスプリングの外周部のうち、前記ブラシの傾斜面短軸部側に位置する部分と当接可能に形成されたことを特徴とする請求項２に記載のブラシ。
【００９３】
このように形成されていると、傾斜面によってコイルスプリングに分力が働いても、コイルスプリングと傾斜面との当接位置がずれてしまうことを防止することが可能となるので、これにより、コイルスプリングが曲がってしまうことを確実に防止することが可能となる。
【００９４】
（２）前記付勢部材当接部は、前記コイルスプリングの外周部のうち、前記ブラシの傾斜面短軸部側に位置する部分と当接可能に形成され、前記付勢部材当接部の前記コイルスプリングの外周部と当接する部分は、前記コイルスプリングの外周部に沿って円弧状に形成されたことを特徴とする請求項２に記載のブラシ。
【００９５】
このように形成されていると、付勢部材当接部のコイルスプリングの外周部との周方向における接触面積を広く取ることが可能となるので、これにより、コイルスプリングの径方向の変形が抑制され、コイルスプリングが曲がってしまうことを確実に防止することが可能となる。
【００９６】
（３）コイルスプリングによって整流子側へ付勢されるブラシであって、該ブラシは、前記整流子と反対側の部分に前記コイルスプリングと当接する傾斜面を有して形成され、該傾斜面の傾斜面長軸部側には、孔部が形成され、該孔部には、前記コイルスプリングの内周部と当接する丸棒部材が挿入固定されたことを特徴とするブラシ。
【００９７】
このように、ブラシのコイルスプリングと当接する傾斜面の傾斜面長軸部側に、孔部が形成され、この孔部に、コイルスプリングの内周部と当接する丸棒部材が挿入固定されていると、付勢部材の形状を矯正することができるので、ブラシの付勢部材と当接する当接面が傾斜して形成されていても、付勢部材が曲がってしまうことを防止することが可能となり、コイルスプリングの付勢力が低減してしまうことを防止することが可能となる。
【００９８】
【発明の効果】
以上詳述したように、本発明のブラシによれば、ブラシの付勢部材と当接する傾斜面に、整流子と反対側へ突出すると共に付勢部材と当接する付勢部材当接部が形成されているので、付勢部材の形状を矯正することが可能となる。これにより、ブラシの付勢部材と当接する当接面が傾斜して形成されていても、付勢部材が曲がってしまうことを防止することが可能となるので、付勢部材の付勢力が低減してしまうことを防止することが可能となる。
【００９９】
また、上述のように、ブラシの付勢部材と当接する当接面が傾斜して形成されているので、付勢部材のブラシへの付勢力に分力が働き、ブラシをブラシボックスの内部側面に押えつけることが可能となる。これにより、ブラシの振動を抑制することが可能となるので、モータ回転中における振動や異音の発生を防止することが可能となる。
【０１００】
また、本発明のブラシ保持装置によれば、上記ブラシを用いているので、付勢部材当接部によって付勢部材の形状を矯正することができる。これにより、ブラシの付勢部材と当接する当接面が傾斜して形成されていても、付勢部材が曲がってしまうことを防止することが可能となるので、付勢部材のブラシへの付勢力が低減してしまうことを防止することが可能となり、ブラシの整流子への押圧力を十分に確保することが可能となる。
【０１０１】
また、本発明の回転電機によれば、上記ブラシ保持装置を用いているので、付勢部材の付勢力が低減してしまうことを防止することが可能となり、ブラシの整流子への押圧力を十分に確保することが可能となる。これにより、ブラシノイズを低減させることが可能になると共に、電機子の回転特性を向上させることが可能となる。
【図面の簡単な説明】
【図１】本発明の一実施形態に係るブラシ保持装置およびフロントフレームの構成を示す上面図である。
【図２】本発明の一実施形態に係るブラシ保持装置におけるブラシ周辺部の構成を示す要部説明図である。
【図３】図２のＡ−Ａ線断面図である。
【図４】本発明の一実施形態に係るブラシの構成を示す上面図である。
【図５】図４のＢ−Ｂから見た矢視図である。
【図６】本実施形態に係るブラシの傾斜面にコイルスプリングが当接した様子を示す説明図である。
【図７】本発明の一実施形態に係る回転電機の構成を示す側面断面図である。
【図８】本実施形態に係るブラシの第１改変例を示す要部説明図である。
【図９】図８のＣ−Ｃから見た矢視図である。
【図１０】本実施形態に係るブラシの第２改変例を示す要部説明図である。
【図１１】従来技術に係るブラシ保持装置におけるブラシ周辺部の構成を示す要部説明図である。
【符号の説明】
１０，３１０　ブラシ保持装置、２０　プレート部材、２１　貫通孔、３０，３３０　ブラシボックス、３１　中空部、３２　開口部、３３　ストッパ部材、３４　スリット、４０，１４０，２４０，３４０　ブラシ、４１　ピッグテール、４２，１４２，２４２，３４２　傾斜面、４２ａ，３４２ａ　傾斜面長軸部、４３，１４３，２４３　コイルスプリング矯正部、４３ａ　円弧部、５０，１５０，２５０，３５０　コイルスプリング、５１，５２，３５１　コイル部、６０　ヨークハウジング、６０ａ，６０ｂ　開口部、６１　固定子、７０　フロントフレーム、７１，８１　軸受収容部、７２，８２　軸受、７３　コネクタ部材、８０　エンドフレーム、９０　電機子、９１　回転軸、９２　コア鉄心、９３，３９３　整流子、９４　巻線、１００　回転電機、１４２ｂ，３４２ｂ　傾斜面短軸部、２４２ａ　孔部
【図１】
2004135387.tif 000003
【図２】
2004135387.tif 000004
【図３】
2004135387.tif 000005
【図４】
2004135387.tif 000006
【図５】
2004135387.tif 000007
【図６】
2004135387.tif 000008
【図７】
2004135387.tif 000009
【図８】
2004135387.tif 000010
【図９】
2004135387.tif 000011
【図１０】
2004135387.tif 000012
【図１１】
2004135387.tif 000013